(57)【要約】【課題】磁気データの不正な読取りを効果的に妨害すること、および、スキミング用磁気ヘッドが設置されたことを適切に検知することが可能になるとともに、妨害磁界発生機構の構成を簡素化することが可能なカードリーダを提供する。【解決手段】このカードリーダでは、妨害磁界発生機構１０は、励磁用コイル１２、１３と、励磁用コイル１２、１３が発生させる磁界の変化を検知するための検知用コイル１４とを備えている。電流供給部１５は、周期がランダムに変動する交流を励磁用コイル１２、１３に供給する第１電流供給パターンと、周期および振幅が一定な交流を励磁用コイル１２、１３に供給する第２電流供給パターンとによって励磁用コイル１２、１３に交流を供給し、検知部１６は、第２電流供給パターンで励磁用コイル１２、１３に交流が供給されているときの検知用コイル１４の検知結果に基づいて金属材料を含む異物が取り付けられたことを検知する。【選択図】図２
2019185837.tif 000002
【特許請求の範囲】
【請求項１】
カードに記録された磁気データの読取りおよび前記カードへの磁気データの記録の少なくともいずれか一方を行う磁気ヘッドを備えるカードリーダにおいて、
前記カードが挿入されるカード挿入口が形成されるカード挿入部と、前記カードに記録された磁気データの不正な読取りを妨害するための磁界を発生させる妨害磁界発生機構とを備え、
前記妨害磁界発生機構は、前記カード挿入部の内部に配置され磁界を発生させる励磁用コイルと、前記カード挿入部の内部に配置され前記励磁用コイルが発生させる磁界の変化を検知するための検知用コイルと、前記励磁用コイルに電流を供給する電流供給部と、前記検知用コイルが接続される検知部とを備え、
前記電流供給部は、周期がランダムに変動する交流を前記励磁用コイルに供給する第１電流供給パターンと、周期および振幅が一定な交流を前記励磁用コイルに供給する第２電流供給パターンとの２つの電流供給パターンで前記励磁用コイルに交流を供給し、
前記検知部は、前記第２電流供給パターンで前記励磁用コイルに交流が供給されているときの前記検知用コイルの検知結果に基づいて、金属材料を含む異物が前記カード挿入部の前面側に取り付けられたことを検知することを特徴とするカードリーダ。
【請求項２】
前記妨害磁界発生機構は、２個以上の前記励磁用コイルを備え、
前記電流供給部は、前記第１電流供給パターンにおいて、２個以上の前記励磁用コイルのそれぞれに周期がランダムに変動する交流を供給するとともに、前記第２電流供給パターンにおいて、２個以上の前記励磁用コイルのそれぞれに周期および振幅が一定な交流を供給することを特徴とする請求項１記載のカードリーダ。
【請求項３】
前記妨害磁界発生機構は、２個の前記励磁用コイルと、磁性材料で形成され２個の前記励磁用コイルおよび前記検知用コイルが巻回されるコアとを備え、
前記コアは、直線の棒状に形成される第１コア部と、直線の棒状に形成され前記第１コア部と平行に配置される第２コア部と、直線の棒状に形成され前記第１コア部と平行に配置される第３コア部と、直線の棒状に形成され前記第１コア部と平行に配置される第４コア部と、直線の棒状に形成され前記第１コア部の一端、前記第２コア部の一端、前記第３コア部の一端および前記第４コア部の一端が繋がる連結コア部とを備え、
前記第１コア部と前記第２コア部と前記第３コア部と前記第４コア部とは、前記連結コア部の長手方向においてこの順番で配置され、
２個の前記励磁用コイルのうちの一方の前記励磁用コイルは、前記第１コア部と前記第３コア部とに巻回され、
２個の前記励磁用コイルのうちの他方の前記励磁用コイルは、前記第２コア部と前記第４コア部とに巻回されていることを特徴とする請求項２記載のカードリーダ。
【請求項４】
前記カードリーダに前記カードが挿入される前の待機時に、前記電流供給部は、一定の時間間隔で、前記第１電流供給パターンによって前記励磁用コイルに交流を供給するとともに、前記第１電流供給パターンによる前記励磁用コイルへの交流の供給の合間に所定のタイミングで前記第２電流供給パターンによって前記励磁用コイルに交流を供給することを特徴とする請求項１から３のいずれかに記載のカードリーダ。
【請求項５】
前記検知部は、前回の前記第２電流供給パターンによる前記励磁用コイルへの交流の供給時の前記検知用コイルの検知結果と、今回の前記第２電流供給パターンによる前記励磁用コイルへの交流の供給時の前記検知用コイルの検知結果とを比較して、金属材料を含む異物が前記カード挿入部の前面側に取り付けられたことを検知することを特徴とする請求項４記載のカードリーダ。
【発明の詳細な説明】
【技術分野】
【０００１】
本発明は、カードに記録された磁気データの読取りやカードへの磁気データの記録を行うカードリーダに関する。
【背景技術】
【０００２】
従来、カードに記録された磁気データの読取りやカードへの磁気データの記録を行う磁気ヘッドを備えるカードリーダが知られている（たとえば、特許文献１参照）。特許文献１に記載のカードリーダは、カードに記録された磁気データを犯罪者が不正に読み取るスキミングを阻止するための妨害磁界発生機構を備えている。妨害磁界発生機構は、カードに記録された磁気データの不正な読取りを妨害するための磁界を発生させる。
【０００３】
特許文献１に記載のカードリーダでは、たとえば、特許文献１の図８、図１０に示すように、妨害磁界発生機構は、磁性材料で形成されるコアと、磁界を発生させる励磁用コイルと、磁界の変化を検出する検知用コイルとを備えている。特許文献１の図８に示す妨害磁界発生機構（以下、この妨害磁界発生機構を「第１の妨害磁界発生機構」とする。）では、コアは、棒状の第１コア部分および第２コア部分と、第１コア部分および第２コア部分の端部同士を繋ぐ棒状の連結コア部分とから構成されている。励磁用コイルは、第１コア部分および第２コア部分に巻回されている。検知用コイルは、連結コア部分に巻回されている。
【０００４】
また、特許文献１の図１０に示す妨害磁界発生機構（以下、この妨害磁界発生機構を「第２の妨害磁界発生機構」とする。）は、２個の励磁用コイルを備えている。第２の妨害磁界発生機構では、コアは、棒状の第１コア部分、第２コア部分、第３コア部分および第４コア部分と、第１コア部分〜第４コア部分の後端同士を繋ぐ棒状の連結コア部分とから構成されている。第１コア部分と第３コア部分と第２コア部分と第４コア部分とは、連結コア部分の長手方向においてこの順番で配置されている。第１コア部分および第２コア部分には、２個の励磁用コイルのうちの一方の励磁用コイルが巻回され、第３コア部分および第４コア部分には、他方の励磁用コイルが巻回されている。検知用コイルは、連結コア部分の、第１コア部分と第３コア部分との間の部分と、連結コア部分の、第２コア部分と第４コア部分との間の部分に巻回されている。
【０００５】
特許文献１に記載の第１、第２の妨害磁界発生機構では、励磁用コイルが発生させる磁界（妨害磁界）によって、カード挿入部の前面側に設置されるスキミング用の磁気ヘッド（以下、「スキミング用磁気ヘッド」とする。）による磁気データの不正な読取りを妨害することが可能となっている。また、第１、第２の妨害磁界発生機構では、磁界の変化を検知する検知用コイルの検知結果に基づいて、カード挿入部の前面側にスキミング用磁気ヘッドが設置されたことを検知することが可能になっている。具体的には、検知用コイルの出力信号の振幅に基づいて、カード挿入部の前面側にスキミング用磁気ヘッドが設置されたことを検知することが可能になっている。
【０００６】
なお、特許文献１に記載の第１の妨害磁界発生機構では、周期および振幅が一定な交流が励磁用コイルに供給されている。また、特許文献１に記載の第２の妨害磁界発生機構では、周期および振幅が一定な交流が２個の励磁用コイルに供給されている。また、２個の励磁用コイルのうちの一方の励磁用コイルに供給される交流の周期と、他方の励磁用コイルに供給される交流の周期とは等しくなっており、２個の励磁用コイルのうちの一方の励磁用コイルに供給される交流の振幅と、他方の励磁用コイルに供給される交流の振幅とは等しくなっている。
【先行技術文献】
【特許文献】
【０００７】
【特許文献１】国際公開第２０１５／１３３５６７号
【発明の概要】
【発明が解決しようとする課題】
【０００８】
特許文献１に記載の第１の妨害磁界発生機構において、周期が一定な交流が励磁用コイルに供給されている場合、スキミング用磁気ヘッドで読み取った読取り信号の中で、励磁用コイルが発生させた妨害磁界に基づく信号成分を特定しやすくなるため、犯罪者は、スキミング用磁気ヘッドで読み取った読取り信号の中から、妨害磁界に基づく信号成分を除去しやすくなる。したがって、第１の妨害磁界発生機構において、周期が一定な交流が励磁用コイルに供給されている場合には、スキミング用磁気ヘッドによる磁気データの不正な読取りを効果的に妨害することは難しくなる。
【０００９】
同様に、特許文献１に記載の第２の妨害磁界発生機構において、周期が一定な交流が２個の励磁用コイルに供給されている場合、スキミング用磁気ヘッドで読み取った読取り信号の中で、２個の励磁用コイルが発生させた妨害磁界に基づく信号成分を特定しやすくなるため、犯罪者は、スキミング用磁気ヘッドで読み取った読取り信号の中から、妨害磁界に基づく信号成分を除去しやすくなる。したがって、第２の妨害磁界発生機構において、周期が一定な交流が２個の励磁用コイルに供給されている場合にも、スキミング用磁気ヘッドによる磁気データの不正な読取りを効果的に妨害することは難しくなる。
【００１０】
そこで、スキミング用磁気ヘッドで読み取った読取り信号の中から、妨害磁界に基づく信号成分を除去しにくくして、スキミング用磁気ヘッドによる磁気データの不正な読取りを効果的に妨害するために、本願発明者は、特許文献１に記載の第１、第２の妨害磁界発生機構において、周期がランダムに変動する交流を励磁用コイルに供給することを検討している。
【００１１】
しかしながら、特許文献１に記載の第１、第２の妨害磁界発生機構では、励磁用コイルが発生させる磁界に対して外部からの影響がない場合、検知用コイルの出力信号の波形は、励磁用コイルに供給される交流の波形を微分して得られる微分波形に基づいた波形となるため、周期がランダムに変動する交流が励磁用コイルに供給されると、カード挿入部の前面側にスキミング用磁気ヘッドが設置されていないにもかかわらず、検知用コイルの出力信号の振幅が変動して、カード挿入部の前面側にスキミング用磁気ヘッドが設置されたことを適切に検知することができなくなるおそれがある。
【００１２】
たとえば、特許文献１に記載の第１の妨害磁界発生機構において、図８（Ａ）の交流波形Ｗ１１に示すように周期がランダムに変動する交流が励磁用コイルに供給されると、検知用コイルの出力信号の振幅が図８（Ｂ）に示すように変動して、カード挿入部の前面側にスキミング用磁気ヘッドが設置されたことを適切に検知することができなくなるおそれがある。
【００１３】
また、たとえば、特許文献１に記載の第２の妨害磁界発生機構において、図８（Ｃ）の交流波形Ｗ１２に示すように周期がランダムに変動する交流が２個の励磁用コイルのうちの一方の励磁用コイルに供給され、図８（Ｃ）の交流波形Ｗ１３に示すように周期がランダムに変動する交流が他方の励磁用コイルに供給されると、検知用コイルの出力信号の振幅が図８（Ｄ）に示すように変動して、カード挿入部の前面側にスキミング用磁気ヘッドが設置されたことを適切に検知することができなくなるおそれがある。
【００１４】
そこで、本発明の課題は、カードに記録された磁気データの不正な読取りを妨害するための磁界を発生させる妨害磁界発生機構を備えるカードリーダにおいて、スキミング用磁気ヘッドによる磁気データの不正な読取りを効果的に妨害することが可能で、かつ、カード挿入部の前面側にスキミング用磁気ヘッドが設置されたことを適切に検知することが可能になるとともに、妨害磁界発生機構の構成を簡素化することが可能なカードリーダを提供することにある。
【課題を解決するための手段】
【００１５】
上記の課題を解決するため、本発明のカードリーダは、カードに記録された磁気データの読取りおよびカードへの磁気データの記録の少なくともいずれか一方を行う磁気ヘッドを備えるカードリーダにおいて、カードが挿入されるカード挿入口が形成されるカード挿入部と、カードに記録された磁気データの不正な読取りを妨害するための磁界を発生させる妨害磁界発生機構とを備え、妨害磁界発生機構は、カード挿入部の内部に配置され磁界を発生させる励磁用コイルと、カード挿入部の内部に配置され励磁用コイルが発生させる磁界の変化を検知するための検知用コイルと、励磁用コイルに電流を供給する電流供給部と、検知用コイルが接続される検知部とを備え、電流供給部は、周期がランダムに変動する交流を励磁用コイルに供給する第１電流供給パターンと、周期および振幅が一定な交流を励磁用コイルに供給する第２電流供給パターンとの２つの電流供給パターンで励磁用コイルに交流を供給し、検知部は、第２電流供給パターンで励磁用コイルに交流が供給されているときの検知用コイルの検知結果に基づいて、金属材料を含む異物がカード挿入部の前面側に取り付けられたことを検知することを特徴とする。
【００１６】
本発明のカードリーダでは、電流供給部は、周期がランダムに変動する交流を励磁用コイルに供給する第１電流供給パターンと、周期および振幅が一定な交流を励磁用コイルに供給する第２電流供給パターンとの２つの電流供給パターンで励磁用コイルに交流を供給している。そのため、本発明では、第１電流供給パターンで励磁用コイルに交流が供給されたときに励磁用コイルが発生させる磁界によって、スキミング用磁気ヘッドによる磁気データの不正な読取りを効果的に妨害することが可能になる。
【００１７】
また、本発明では、第２電流供給パターンにおいて、励磁用コイルに供給される交流の周期および振幅が一定になっているため、励磁用コイルが発生させる磁界に対して外部からの影響がない場合に、第２電流供給パターンで励磁用コイルに交流が供給されているときの検知用コイルの出力信号の振幅を一定にしたり、検知用コイルの出力信号のレベルを一定にしたりすることが可能になる。また、本発明では、検知部は、第２電流供給パターンで励磁用コイルに交流が供給されているときの検知用コイルの検知結果に基づいて、金属材料を含む異物がカード挿入部の前面側に取り付けられたことを検知しているため、励磁用コイルが発生させる磁界に対して外部からの影響がない場合に振幅が一定になっている、または、信号レベルが一定になっている検知用コイルの出力信号に基づいて、金属材料を含む異物がカード挿入部の前面側に取り付けられたことを検知することが可能になる。したがって、本発明では、カード挿入部の前面側にスキミング用磁気ヘッドが設置されたことを適切に検知することが可能になる。
【００１８】
このように本発明では、共通の励磁用コイルを用いて、スキミング用磁気ヘッドによる磁気データの不正な読取りを効果的に妨害することが可能になるとともに、カード挿入部の前面側にスキミング用磁気ヘッドが設置されたことを適切に検知することが可能になる。したがって、本発明では、スキミング用磁気ヘッドによる磁気データの不正な読取りを効果的に妨害することが可能で、かつ、カード挿入部の前面側にスキミング用磁気ヘッドが設置されたことを適切に検知することが可能になるとともに、妨害磁界発生機構の構成を簡素化することが可能になる。また、本発明では、スキミング用磁気ヘッドによる磁気データの不正な読取りを効果的に妨害することが可能になるとともに、カード挿入部の前面側にスキミング用磁気ヘッドが設置されたことを適切に検知することが可能になるため、カードリーダのセキュリティ性を高めることが可能になる。
【００１９】
本発明において、たとえば、妨害磁界発生機構は、２個以上の励磁用コイルを備え、電流供給部は、第１電流供給パターンにおいて、２個以上の励磁用コイルのそれぞれに周期がランダムに変動する交流を供給するとともに、第２電流供給パターンにおいて、２個以上の励磁用コイルのそれぞれに周期および振幅が一定な交流を供給する。
【００２０】
本発明において、妨害磁界発生機構は、２個の励磁用コイルと、磁性材料で形成され２個の励磁用コイルおよび検知用コイルが巻回されるコアとを備え、コアは、直線の棒状に形成される第１コア部と、直線の棒状に形成され第１コア部と平行に配置される第２コア部と、直線の棒状に形成され第１コア部と平行に配置される第３コア部と、直線の棒状に形成され第１コア部と平行に配置される第４コア部と、直線の棒状に形成され第１コア部の一端、第２コア部の一端、第３コア部の一端および第４コア部の一端が繋がる連結コア部とを備え、第１コア部と第２コア部と第３コア部と第４コア部とは、連結コア部の長手方向においてこの順番で配置され、２個の励磁用コイルのうちの一方の励磁用コイルは、第１コア部と第３コア部とに巻回され、２個の励磁用コイルのうちの他方の励磁用コイルは、第２コア部と第４コア部とに巻回されていることが好ましい。このように構成すると、読取りヘッドとダミーヘッドとが１つのケース体に収容された差動式のスキミング用磁気ヘッドに対して、妨害磁界の影響を効果的に与えることが可能になる。
【００２１】
本発明において、たとえば、カードリーダにカードが挿入される前の待機時に、電流供給部は、一定の時間間隔で、第１電流供給パターンによって励磁用コイルに交流を供給するとともに、第１電流供給パターンによる励磁用コイルへの交流の供給の合間に所定のタイミングで第２電流供給パターンによって励磁用コイルに交流を供給する。この場合には、カードリーダにカードが挿入される前から、カード挿入部の前面側に設置されるスキミング用磁気ヘッドでの磁気データの不正な読取りを妨害することが可能になるとともに、カードリーダにカードが挿入される前に、カード挿入部の前面側にスキミング用磁気ヘッドが設置されたことを検知することが可能になる。
【００２２】
本発明において、たとえば、検知部は、前回の第２電流供給パターンによる励磁用コイルへの交流の供給時の検知用コイルの検知結果と、今回の第２電流供給パターンによる励磁用コイルへの交流の供給時の検知用コイルの検知結果とを比較して、金属材料を含む異物がカード挿入部の前面側に取り付けられたことを検知する。
【発明の効果】
【００２３】
以上のように、本発明では、カードに記録された磁気データの不正な読取りを妨害するための磁界を発生させる妨害磁界発生機構を備えるカードリーダにおいて、スキミング用磁気ヘッドによる磁気データの不正な読取りを効果的に妨害することが可能で、かつ、カード挿入部の前面側にスキミング用磁気ヘッドが設置されたことを適切に検知することが可能になるとともに、妨害磁界発生機構の構成を簡素化することが可能になる。
【図面の簡単な説明】
【００２４】
【図１】本発明の実施の形態にかかるカードリーダの前端側部分の構成を説明するための概略側面図である。
【図２】図１に示す妨害磁界発生機構の構成を説明するための概略平面図である。
【図３】図２に示す電流供給部の電流供給パターンを説明するための図である。
【図４】図２に示す励磁用コイルに供給される交流の波形の一例および検知用コイルの出力信号の波形の一例を説明するための図である。
【図５】本発明の他の実施の形態にかかる妨害磁界発生機構の構成を説明するための概略平面図である。
【図６】図５に示す励磁用コイルに供給される交流の波形の一例および検知用コイルの出力信号の波形の一例を説明するための図である。
【図７】本発明の他の実施の形態にかかる妨害磁界発生機構の構成を説明するための概略平面図である。
【図８】従来技術の問題点を説明するための図である。
【発明を実施するための形態】
【００２５】
以下、図面を参照しながら、本発明の実施の形態を説明する。
【００２６】
（カードリーダの概略構成）
図１は、本発明の実施の形態にかかるカードリーダ１の前端側部分の構成を説明するための概略側面図である。
【００２７】
本形態のカードリーダ１は、カード２に記録された磁気データの読取りやカード２への磁気データの記録を行うための装置であり、たとえば、ＡＴＭ（Ａｕｔｏｍａｔｅｄ  Ｔｅｌｌｅｒ  Ｍａｃｈｉｎｅ）等の所定の上位装置に搭載されて使用される。このカードリーダ１は、カード２が挿入されるカード挿入口３が形成されるカード挿入部４と、本体部５とを備えている。
【００２８】
カードリーダ１の内部には、カード挿入口３から挿入されたカード２が移動するカード移動路６が形成されている。また、カードリーダ１は、カード２に記録された磁気データの読取りおよびカード２への磁気データの記録の少なくともいずれか一方を行う磁気ヘッド７と、カード２を搬送するための駆動ローラ８およびパッドローラ９と、カード２に記録された磁気データの不正な読取りを妨害するための磁界を発生させる妨害磁界発生機構１０とを備えている。
【００２９】
本形態では、図１に示すＸ方向でカード２が搬送される。すなわち、カード２は、Ｘ方向に移動する。また、カード２は、Ｘ方向の一方であるＸ１方向に挿入されるとともに、Ｘ方向の他方であるＸ２方向に排出される。また、Ｘ方向に直交する図１のＺ方向は、カードリーダ１に取り込まれたカード２の厚さ方向であり、Ｘ方向とＺ方向とに直交する図１のＹ方向は、カードリーダ１に取り込まれたカード２の幅方向である。以下の説明では、Ｘ方向を「前後方向」とし、Ｙ方向を「左右方向」とし、Ｚ方向を「上下方向」とする。また、Ｘ１方向側を「後ろ」側とし、Ｘ２方向側を「前」側とするとともに、上下方向の一方側であるＺ１方向側を「上」側とし、その反対側であるＺ２方向側を「下」側とする。
【００３０】
カード２は、たとえば、厚さが０．７〜０．８ｍｍ程度の略長方形状の塩化ビニール製のカードである。このカード２の裏面には、磁気データが記録される磁気ストライプ２ａが形成されている（図２参照）。磁気ストライプ２ａは、略長方形状に形成されるカード２の長手方向に沿って形成されている。カード２は、カード２の裏面が下側を向いた状態で、かつ、カード２の長手方向が前後方向と一致した状態で、カードリーダ１に挿入されて、カードリーダ１内で搬送される。なお、カード２には、ＩＣチップが内蔵されても良い。また、カード２は、厚さが０．１８〜０．３６ｍｍ程度のＰＥＴ（ポリエチレンテレフタレート）カードであっても良いし、所定の厚さの紙カード等であっても良い。
【００３１】
カード挿入部４は、本体部５の前端面に取り付けられている。また、カード挿入部４は、中空状に形成されている。磁気ヘッド７、駆動ローラ８およびパッドローラ９は、本体部５の内部に配置されている。磁気ヘッド７は、カード移動路（カード搬送路）６に下側から臨むように配置されている。また、磁気ヘッド７は、左右方向において、カード２の磁気ストライプ２ａが通過する位置に配置されている。駆動ローラ８とパッドローラ９とは、上下方向でカード移動路６を挟むように配置されている。駆動ローラ８には、ベルトやプーリ等の動力伝達機構を介してモータが連結されている。パッドローラ９は、駆動ローラ８に向かって付勢されている。カード２は、駆動ローラ８とパッドローラ９との間に挟まれた状態で搬送される。
【００３２】
（妨害磁界発生機構の構成）
図２は、図１に示す妨害磁界発生機構１０の構成を説明するための概略平面図である。図３は、図２に示す電流供給回路１５の電流供給パターンを説明するための図である。図４は、図２に示す励磁用コイル１２、１３に供給される交流の波形の一例および検知用コイル１４の出力信号の波形の一例を説明するための図である。
【００３３】
妨害磁界発生機構１０は、磁性材料で形成されるコア１１と、磁界を発生させる励磁用コイル１２、１３と、励磁用コイル１２、１３が発生させる磁界の変化を検知するための検知用コイル１４とを備えている。本形態の妨害磁界発生機構１０は、２個の励磁用コイル１２、１３を備えている。２個の励磁用コイル１２、１３および検知用コイル１４は、コア１１に巻回されている。また、妨害磁界発生機構１０は、励磁用コイル１２、１３に電流を供給する電流供給部としての電流供給回路１５と、検知用コイル１４が接続される検知部しての検知回路１６とを備えている。
【００３４】
コア１１は、中空状に形成されるカード挿入部４の内部に配置されている。コア１１に巻回される励磁用コイル１２、１３および検知用コイル１４もカード挿入部４の内部に配置されている。また、コア１１、励磁用コイル１２、１３および検知用コイル１４は、カード移動路６の上側に配置されている。なお、コア１１、励磁用コイル１２、１３および検知用コイル１４は、カード移動路６の下側に配置されていても良い。
【００３５】
コア１１は、薄い磁性板が積層されて形成された積層コアである。図２に示すように、コア１１は、直線の棒状に形成される第１コア部１１ａと、直線の棒状に形成され第１コア部１１ａと平行に配置される第２コア部１１ｂと、直線の棒状に形成され第１コア部１１ａと平行に配置される第３コア部１１ｃと、直線の棒状に形成され第１コア部１１ａと平行に配置される第４コア部１１ｄと、直線の棒状に形成され第１コア部１１ａ、第２コア部１１ｂ、第３コア部１１ｃおよび第４コア部１１ｄの一端が繋がる連結コア部１１ｅとから構成されている。
【００３６】
第１コア部１１ａ、第２コア部１１ｂ、第３コア部１１ｃ、第４コア部１１ｄおよび連結コア部１１ｅは、細長い四角柱状に形成されている。第１コア部１１ａ、第２コア部１１ｂ、第３コア部１１ｃおよび第４コア部１１ｄは、上下方向から見たときに、前後方向を長手方向として配置されている。連結コア部１１ｅは、上下方向から見たときに、左右方向を長手方向として配置されている。連結コア部１１ｅには、第１コア部１１ａ、第２コア部１１ｂ、第３コア部１１ｃおよび第４コア部１１ｄの後端が繋がっている。
【００３７】
第１コア部１１ａ、第２コア部１１ｂ、第３コア部１１ｃおよび第４コア部１１ｄは、左右方向の一方から他方に向かってこの順番で配置されている。すなわち、第１コア部１１ａ、第２コア部１１ｂ、第３コア部１１ｃおよび第４コア部１１ｄは、連結コア部１１ｅの長手方向においてこの順番で配置されている。また、第１コア部１１ａ、第２コア部１１ｂ、第３コア部１１ｃおよび第４コア部１１ｄは、左右方向で一定の間隔をあけた状態で配置されている。第１コア部１１ａと第２コア部１１ｂと第３コア部１１ｃと第４コア部１１ｄとは同形状に形成されている。
【００３８】
励磁用コイル１２は、ボビンを介して第１コア部１１ａと第３コア部１１ｃとに巻回されている。すなわち、励磁用コイル１２は、第１コア部１１ａに巻回される第１コイル部１２ａと、第３コア部１１ｃに巻回される第２コイル部１２ｂとを備えている。励磁用コイル１３は、ボビンを介して第２コア部１１ｂと第４コア部１１ｄとに巻回されている。すなわち、励磁用コイル１３は、第２コア部１１ｂに巻回される第１コイル部１３ａと、第４コア部１１ｄに巻回される第２コイル部１３ｂとを備えている。
【００３９】
第１コイル部１２ａの巻回方向と、第２コイル部１２ｂの巻回方向とは逆方向になっている。第１コイル部１３ａの巻回方向と、第２コイル部１３ｂの巻回方向とは逆方向になっている。また、第１コイル部１２ａの巻回数と、第２コイル１２ｂの巻回数と、第１コイル部１３ａの巻回数と、第２コイル部１３ｂの巻回数とは等しくなっている。
【００４０】
励磁用コイル１２、１３は、電流供給回路１５に接続されている。電流供給回路１５は、励磁用コイル１２、１３に交流を供給する。たとえば、電流供給回路１５は、正弦波状の交流を励磁用コイル１２、１３に供給する。また、電流供給回路１５は、励磁用コイル１２と励磁用コイル１３とのそれぞれに個別に交流を供給する。
【００４１】
励磁用コイル１２に交流が供給されると、磁力線ＭＬ１の向きが第１コア部１１ａの前端面１１ｆから第３コア部１１ｃの前端面１１ｈに向かう方向と、前端面１１ｈから前端面１１ｆに向かう方向とに変動する磁界（交流磁界）が発生する。同様に、励磁用コイル１３に交流が供給されると、磁力線ＭＬ２の向きが第２コア部１１ｂの前端面１１ｇから第４コア部１１ｄの前端面１１ｊに向かう方向と、前端面１１ｊから前端面１１ｇに向かう方向とに変動する磁界（交流磁界）が発生する。
【００４２】
電流供給回路１５は、周期（周波数）がランダムに変動する交流を励磁用コイル１２、１３に供給する第１電流供給パターンと、周期（周波数）および振幅が一定な交流を励磁用コイル１２、１３に供給する第２電流供給パターンとの２つの電流供給パターンで励磁用コイル１２、１３に交流を供給する。具体的には、電流供給回路１５は、カードリーダ１にカード２が挿入される前の待機時に、第１電流供給パターンと第２電流供給パターンとの２つの電流供給パターンで励磁用コイル１２、１３に交流を供給する。周期がランダムに変動する交流は、電流供給回路１５の一部を構成するマイコンによって生成されている。また、周期および振幅が一定な交流も、このマイコンによって生成されている。
【００４３】
たとえば、電流供給回路１５は、第１電流供給パターンにおいて、図４（Ａ）の交流波形Ｗ１に示すように周期がランダムに変動する交流を励磁用コイル１２に供給し、図４（Ａ）の交流波形Ｗ２に示すように周期がランダムに変動する交流を励磁用コイル１３に供給する。すなわち、電流供給回路１５は、第１電流供給パターンにおいて、２個の励磁用コイル１２、１３のそれぞれに、周期がランダムに変動する交流を個別に供給する。
【００４４】
本形態では、第１電流供給パターンにおいて、たとえば、励磁用コイル１２に供給される交流の振幅は一定となっており、励磁用コイル１３に供給される交流の振幅も一定となっている。また、第１電流供給パターンにおいて、たとえば、励磁用コイル１２に供給される交流の振幅と、励磁用コイル１３に供給される交流の振幅とが等しくなっている。なお、第１電流供給パターンにおいて、励磁用コイル１２に供給される交流の振幅が変動しても良いし、励磁用コイル１３に供給される交流の振幅が変動しても良い。
【００４５】
また、たとえば、電流供給回路１５は、第２電流供給パターンにおいて、図４（Ｃ）の交流波形Ｗ３に示すように周期および振幅が一定な交流を励磁用コイル１２に供給し、図４（Ｃ）の交流波形Ｗ４に示すように周期および振幅が一定な交流を励磁用コイル１３に供給する。すなわち、電流供給回路１５は、第２電流供給パターンにおいて、２個の励磁用コイル１２、１３のそれぞれに周期および振幅が一定な交流を個別に供給する。
【００４６】
本形態では、第２電流供給パターンにおいて、励磁用コイル１２に供給される交流の周期と、励磁用コイル１３に供給される交流の周期とが等しくなっている。また、第２電流供給パターンにおいて、励磁用コイル１２に供給される交流の振幅と、励磁用コイル１３に供給される交流の振幅とが等しくなっている。さらに、第２電流供給パターンにおいて、励磁用コイル１２に供給される交流の位相と、励磁用コイル１３に供給される交流の位相とが同じになっている。
【００４７】
上述のように、電流供給回路１５は、カードリーダ１にカード２が挿入される前の待機時に、第１電流供給パターンと第２電流供給パターンとの２つの電流供給パターンで励磁用コイル１２、１３に交流を供給する。具体的には、電流供給回路１５は、カードリーダ１にカード２が挿入される前の待機時に、一定の時間間隔Ｔ１で、第１電流供給パターンによって励磁用コイル１２、１３に交流を供給するとともに、第１電流供給パターンによる励磁用コイル１２、１３への交流の供給の合間に所定のタイミングで第２電流供給パターンによって励磁用コイル１２、１３に交流を供給する（図３参照）。
【００４８】
たとえば、電流供給回路１５は、図３に示すように、一定の時間間隔Ｔ２で、第１電流供給パターンによる励磁用コイル１２、１３への交流の供給の合間に、第２電流供給パターンによって励磁用コイル１２、１３に交流を供給する。時間間隔Ｔ１は、たとえば、２０ミリ秒であり、時間間隔Ｔ２は、たとえば、５００ミリ秒である。また、第２電流供給パターンにおいて励磁用コイル１２に供給される交流の周期、振幅および位相は、毎回一定となっており、第２電流供給パターンにおいて励磁用コイル１３に供給される交流の周期、振幅および位相も、毎回一定となっている。
【００４９】
なお、第１電流供給パターンによる励磁用コイル１２、１３への交流の供給と、第２電流供給パターンによる励磁用コイル１２、１３への交流の供給とが交互に行われても良い。また、電流供給回路１５は、カード挿入口３にカード２が挿入されてカードリーダ１の内部にカード２が取り込まれるとき、および、カード挿入口３からカード２が排出されるときには、第１電流供給パターンで励磁用コイル１２、１３に交流を供給する。
【００５０】
検知用コイル１４は、連結コア部１１ｅに巻回されている。具体的には、検知用コイル１４は、連結コア部１１ｅの、第１コア部１１ａと第２コア部１１ｂとの間の部分と、連結コア部１１ｅの、第３コア部１１ｃと第４コア部１１ｄとの間の部分に巻回されている。すなわち、検知用コイル１４は、連結コア部１１ｅの、第１コア部１１ａと第２コア部１１ｂとの間の部分に巻回される第１コイル部１４ａと、連結コア部１１ｅの、第３コア部１１ｃと第４コア部１１ｄとの間の部分に巻回される第２コイル部１４ｂとを備えている。第１コイル部１４ａの巻回数と、第２コイル部１４ｂの巻回数とは等しくなっている。また、第１コイル部１４ａの巻回方向と、第２コイル部１４ｂの巻回方向とは逆方向になっている。
【００５１】
検知用コイル１４は、検知回路１６に接続されている。検知回路１６には、検知用コイル１４の出力信号が入力される。具体的には、第１コイル部１４ａの出力信号と第２コイル部１４ｂの出力信号との差分である差分信号が検知用コイル１４の出力信号として検知回路１６に入力される。励磁用コイル１２、１３が発生させる磁界に対して外部からの影響がない場合、検知用コイル１４の出力信号の波形は、励磁用コイル１２に供給される交流の波形と、励磁用コイル１３に供給される交流の波形とを合成して得られた合成波形を微分して得られる微分波形に基づいた波形となる。
【００５２】
第１電流供給パターンにおいて、たとえば、図４（Ａ）の交流波形Ｗ１に示すように周期がランダムに変動する交流が励磁用コイル１２に供給され、図４（Ａ）の交流波形Ｗ２に示すように周期がランダムに変動する交流が励磁用コイル１３に供給されている場合であって、励磁用コイル１２、１３が発生させる磁界に対して外部からの影響がない場合には、検知用コイル１４の出力信号は、図４（Ｂ）に示すように変動する。
【００５３】
また、第２電流供給パターンで励磁用コイル１２、１３に交流が供給されている場合であって、励磁用コイル１２、１３が発生させる磁界に対して外部からの影響がない場合には、検知用コイル１４の出力信号のレベルは、図４（Ｄ）に示すように一定になる。すなわち、第２電流供給パターンで励磁用コイル１２、１３に交流が供給されている場合であって、励磁用コイル１２、１３が発生させる磁界に対して外部からの影響がない場合には、検知用コイル１４の出力信号の振幅は０となる。そのため、たとえば、第２電流供給パターンで励磁用コイル１２、１３に交流が供給されている場合であって、カード挿入部４の前面側にスキミング用磁気ヘッド８０が設置されていない場合には、検知用コイル１４の出力信号のレベルは一定になる。
【００５４】
一方、第２電流供給パターンで励磁用コイル１２、１３に交流が供給されているときにカード挿入部４の前面側にスキミング用磁気ヘッド８０が設置されると、励磁用コイル１２、１３が発生させる磁界に対してスキミング用磁気ヘッド８０が影響を及ぼすため、検知用コイル１４の出力信号のレベルが変動する。したがって、第２電流供給パターンで励磁用コイル１２、１３に交流が供給されているときの検知用コイル１４の出力信号のレベルに基づいて、カード挿入部４の前面側にスキミング用磁気ヘッド８０が設置されたことを検知することが可能になっている。
【００５５】
本形態では、検知用コイル１４の出力信号が入力される検知回路１６は、第２電流供給パターンで励磁用コイル１２、１３に交流が供給されているときの検知用コイル１４の検知結果に基づいて、金属材料を含む異物がカード挿入部４の前面側に取り付けられたことを検知する。たとえば、検知回路１６は、前回の第２電流供給パターンによる励磁用コイル１２、１３への交流の供給時の検知用コイル１４の検知結果（具体的には、検知用コイル１４の出力信号のレベル）と、今回の第２電流供給パターンによる励磁用コイル１２、１３への交流の供給時の検知用コイル１４の検知結果（具体的には、検知用コイル１４の出力信号のレベル）とを比較して、スキミング用磁気ヘッド８０等の、金属材料を含む異物がカード挿入部４の前面側に取り付けられたことを検知する。
【００５６】
なお、カードリーダ１では、カード挿入部４の前面側にスキミング用磁気ヘッド８０等の異物が取り付けられたことが検知されると、上位装置にアラームを送信する等の所定の異常処理が実行される。
【００５７】
（本形態の主な効果）
以上説明したように、本形態では、電流供給回路１５は、周期がランダムに変動する交流を励磁用コイル１２、１３に供給する第１電流供給パターンと、周期および振幅が一定な交流を励磁用コイル１２、１３に供給する第２電流供給パターンとの２つの電流供給パターンで励磁用コイル１２、１３に交流を供給している。そのため、本形態では、第１電流供給パターンで励磁用コイル１２、１３に交流が供給されたときに励磁用コイル１２、１３が発生させる磁界によって、カード挿入部４の前面側に取り付けられたスキミング用磁気ヘッド８０による磁気データの不正な読取りを効果的に妨害することが可能になる。
【００５８】
また、本形態では、励磁用コイル１２、１３が発生させる磁界に対して外部からの影響がない場合に、第２電流供給パターンで励磁用コイル１２、１３に交流が供給されているときの検知用コイル１４の出力信号のレベルが一定になっている。また、本形態では、検知回路１６は、第２電流供給パターンで励磁用コイル１２、１３に交流が供給されているときの検知用コイル１４の検知結果に基づいてスキミング用磁気ヘッド８０等の異物がカード挿入部４の前面側に取り付けられたことを検知しているため、励磁用コイル１２、１３が発生させる磁界に対して外部からの影響がない場合に信号レベルが一定になっている検知用コイル１４の出力信号に基づいて、スキミング用磁気ヘッド８０等の異物がカード挿入部４の前面側に取り付けられたことを検知することが可能になる。したがって、本形態では、カード挿入部４の前面側にスキミング用磁気ヘッド８０が設置されたことを適切に検知することが可能になる。
【００５９】
このように本形態では、共通の励磁用コイル１２、１３を用いて、スキミング用磁気ヘッド８０による磁気データの不正な読取りを効果的に妨害することが可能になるとともに、カード挿入部４の前面側にスキミング用磁気ヘッド８０が設置されたことを適切に検知することが可能になる。したがって、本形態では、スキミング用磁気ヘッド８０による磁気データの不正な読取りを効果的に妨害することが可能で、かつ、カード挿入部４の前面側にスキミング用磁気ヘッド８０が設置されたことを適切に検知することが可能になるとともに、妨害磁界発生機構１０の構成を簡素化することが可能になる。
【００６０】
また、本形態では、スキミング用磁気ヘッド８０による磁気データの不正な読取りを効果的に妨害することが可能になるとともに、カード挿入部４の前面側にスキミング用磁気ヘッド８０が設置されたことを適切に検知することが可能になるため、カードリーダ１のセキュリティ性を高めることが可能になる。
【００６１】
本形態では、電流供給回路１５は、カードリーダ１にカード２が挿入される前の待機時に、一定の時間間隔Ｔ１で、第１電流供給パターンによって励磁用コイル１２、１３に交流を供給するとともに、一定の時間間隔Ｔ２で、第１電流供給パターンによる励磁用コイル１２、１３への交流の供給の合間に、第２電流供給パターンによって励磁用コイル１２、１３に交流を供給している。そのため、本形態では、カードリーダ１にカード２が挿入される前から、カード挿入部４の前面側に設置されるスキミング用磁気ヘッド８０による磁気データの不正な読取りを妨害することが可能になるとともに、カードリーダ１にカード２が挿入される前に、カード挿入部４の前面側にスキミング用磁気ヘッド８０が設置されたことを検知することが可能になる。
【００６２】
本形態では、コア１１は、左右方向の一方から他方に向かって順番に配置される第１コア部１１ａ、第２コア部１１ｂ、第３コア部１１ｃおよび第４コア部１１ｄを備えている。また、本形態では、励磁用コイル１２は、第１コア部１１ａと第３コア部１１ｃとに巻回され、励磁用コイル１３は、第２コア部１１ｂと第４コア部１１ｄとに巻回されている。そのため、本形態では、左右方向に並ぶ読取りヘッド８１とダミーヘッド８２とが１つのケース体に収容された差動式のスキミング用磁気ヘッド８０（図２参照）に対して、妨害磁界の影響を効果的に与えることが可能になる。
【００６３】
（妨害磁界発生機構の変形例１）
図５は、本発明の他の実施の形態にかかる妨害磁界発生機構１０の構成を説明するための概略平面図である。図６は、図５に示す励磁用コイル１２に供給される交流の波形の一例および検知用コイル１４の出力信号の波形の一例を説明するための図である。なお、図５では、上述した形態と同一の構成には、同一の符号を付している。
【００６４】
上述した形態において、コア１１は、図５に示すように、第１コア部１１ａと、第３コア部１１ｃと、第１コア部１１ａおよび第３コア部１１ｃの後端が繋がる連結コア部１１ｅとから構成されていても良い。この場合には、励磁用コイル１２は、第１コア部１１ａと第３コア部１１ｃとに巻回され、検知用コイル１４は、連結コア部１１ｅの、第１コア部１１ａと第３コア部１１ｃとの間の部分に巻回されている。また、妨害磁界発生機構１０は、励磁用コイル１３を備えていない。
【００６５】
この変形例では、電流供給回路１５は、カードリーダ１にカード２が挿入される前の待機時に、周期がランダムに変動する交流を励磁用コイル１２に供給する第１電流供給パターンと、周期および振幅が一定な交流を励磁用コイル１２に供給する第２電流供給パターンとの２つの電流供給パターンで励磁用コイル１２に交流を供給する。たとえば、電流供給回路１５は、第１電流供給パターンにおいて、図６（Ａ）の交流波形Ｗ５に示すように周期がランダムに変動する交流を励磁用コイル１２に供給し、第２電流供給パターンにおいて、図６（Ｃ）の交流波形Ｗ６に示すように周期および振幅が一定な交流を励磁用コイル１２に供給する。
【００６６】
また、この変形例では、電流供給回路１５は、カードリーダ１にカード２が挿入される前の待機時に、一定の時間間隔Ｔ１で、第１電流供給パターンによって励磁用コイル１２に交流を供給するとともに、一定の時間間隔Ｔ２で、第１電流供給パターンによる励磁用コイル１２への交流の供給の合間に、第２電流供給パターンによって励磁用コイル１２に交流を供給する。第２電流供給パターンにおいて励磁用コイル１２に供給される交流の周期および振幅は、毎回一定となっている。
【００６７】
この変形例では、第１電流供給パターンにおいて、たとえば、図６（Ａ）の交流波形Ｗ５に示すように周期がランダムに変動する交流が励磁用コイル１２に供給されている場合であって、励磁用コイル１２が発生させる磁界に対して外部からの影響がない場合には、検知用コイル１４の出力信号は、図６（Ｂ）に示すように変動する。
【００６８】
また、第２電流供給パターンで励磁用コイル１２に交流が供給されている場合であって、励磁用コイル１２が発生させる磁界に対して外部からの影響がない場合には、検知用コイル１４の出力信号の振幅は、図６（Ｄ）に示すように一定になる。そのため、たとえば、第２電流供給パターンで励磁用コイル１２に交流が供給されている場合であって、カード挿入部４の前面側にスキミング用磁気ヘッド８０が設置されていない場合には、検知用コイル１４の出力信号の振幅は一定になる。
【００６９】
一方、第２電流供給パターンで励磁用コイル１２に交流が供給されているときにカード挿入部４の前面側にスキミング用磁気ヘッド８０が設置されると、励磁用コイル１２が発生させる磁界に対してスキミング用磁気ヘッド８０が影響を及ぼすため、検知用コイル１４の出力信号の振幅が変動する。したがって、この変形例では、第２電流供給パターンで励磁用コイル１２に交流が供給されているときの検知用コイル１４の出力信号の振幅に基づいて、カード挿入部４の前面側にスキミング用磁気ヘッド８０が設置されたことを検知することが可能になっており、検知回路１６は、第２電流供給パターンで励磁用コイル１２に交流が供給されているときの検知用コイル１４の検知結果に基づいて、金属材料を含む異物がカード挿入部４の前面側に取り付けられたことを検知する。
【００７０】
この変形例でも、上述した形態と同様に、共通の励磁用コイル１２を用いて、スキミング用磁気ヘッド８０による磁気データの不正な読取りを効果的に妨害することが可能になるとともに、カード挿入部４の前面側にスキミング用磁気ヘッド８０が設置されたことを適切に検知することが可能になる。したがって、スキミング用磁気ヘッド８０による磁気データの不正な読取りを効果的に妨害することが可能で、かつ、カード挿入部４の前面側にスキミング用磁気ヘッド８０が設置されたことを適切に検知することが可能になるとともに、妨害磁界発生機構１０の構成を簡素化することが可能になる。また、カードリーダ１のセキュリティ性を高めることが可能になる。
【００７１】
（妨害磁界発生機構の変形例２）
図７は、本発明の他の実施の形態にかかる妨害磁界発生機構１０の構成を説明するための概略平面図である。なお、図７では、上述した形態と同一の構成には、同一の符号を付している。
【００７２】
上述した形態において、コア１１は、図７に示すように、第１コア部１１ａと、第２コア部１１ｂと、第３コア部１１ｃと、第１コア部１１ａ、第２コア部１１ｂおよび第３コア部１１ｃの後端が繋がる連結コア部１１ｅとから構成されていても良い。この場合には、励磁用コイル１２は、第１コア部１１ａと第３コア部１１ｃとに巻回され、励磁用コイル１３は、第２コア部１１ｂに巻回されている。検知用コイル１４は、たとえば、連結コア部１１ｅの、第１コア部１１ａと第２コア部１１ｂとの間の部分、および、連結コア部１１ｅの、第２コア部１１ｂと第３コア部１１ｃとの間の部分に巻回されている。
【００７３】
なお、図７では、電流供給回路１５および検知回路１６の図示を省略している。また、この変形例では、励磁用コイル１３に交流が供給されると、磁力線ＭＬ３の向きが第２コア部１１ｂの前端面１１ｇに向かう方向と、前端面１１ｇから出ていく方向とに変動する磁界（交流磁界）が発生する。
【００７４】
この変形例でも、電流供給回路１５は、上述した形態と同様に、カードリーダ１にカード２が挿入される前の待機時に、第１電流供給パターンと第２電流供給パターンとの２つの電流供給パターンで励磁用コイル１２、１３に交流を供給する。また、この変形例でも、検知回路１６は、第２電流供給パターンで励磁用コイル１２、１３に交流が供給されているときの検知用コイル１４の検知結果に基づいて、金属材料を含む異物がカード挿入部４の前面側に取り付けられたことを検知する。
【００７５】
この変形例でも、共通の励磁用コイル１２、１３を用いて、スキミング用磁気ヘッド８０による磁気データの不正な読取りを効果的に妨害することが可能になるとともに、カード挿入部４の前面側にスキミング用磁気ヘッド８０が設置されたことを適切に検知することが可能になる。したがって、スキミング用磁気ヘッド８０による磁気データの不正な読取りを効果的に妨害することが可能で、かつ、カード挿入部４の前面側にスキミング用磁気ヘッド８０が設置されたことを適切に検知することが可能になるとともに、妨害磁界発生機構１０の構成を簡素化することが可能になる。また、カードリーダ１のセキュリティ性を高めることが可能になる。
【００７６】
（妨害磁界発生機構のその他の変形例）
上述した形態において、第１コイル部１４ａの巻回方向と、第２コイル部１４ｂの巻回方向とが同じ方向になっていても良い。また、上述した形態では、第２電流供給パターンにおいて、励磁用コイル１２に供給される交流の振幅と、励磁用コイル１３に供給される交流の振幅とが等しくなっているが、第２電流供給パターンにおいて、励磁用コイル１２に供給される交流の振幅と、励磁用コイル１３に供給される交流の振幅とが異なっていても良い。
【００７７】
上述した形態では、第２電流供給パターンにおいて、励磁用コイル１２に供給される交流の位相と励磁用コイル１３に供給される交流の位相とが同じになっているが、第２電流供給パターンにおいて、励磁用コイル１２に供給される交流の位相と励磁用コイル１３に供給される交流の位相とがずれていても良い。たとえば、第２電流供給パターンにおいて、励磁用コイル１２に供給される交流の位相と励磁用コイル１３に供給される交流の位相とが１８０°ずれていても良い。すなわち、第２電流供給パターンにおいて、励磁用コイル１２に供給される交流の位相と励磁用コイル１３に供給される交流の位相とが逆になっていても良い。
【００７８】
上述した形態において、妨害磁界発生機構１０は、連結コア部１１ｅの、第１コア部１１ａと第２コア部１１ｂとの間の部分に巻回される検知用コイルと、連結コア部１１ｅの、第３コア部１１ｃと第４コア部１１ｄとの間の部分に巻回される検知用コイルとの２個の検知用コイルを備えていても良い。この場合には、２個の検知用コイルは、たとえば、検知回路１６に並列に接続されており、検知回路１６は、２個の検知用コイルの出力信号の差分信号を生成する。また、上述した形態において、第１コイル部１４ａまたは第２コイル部１４ｂが、連結コア部１１ｅの、第２コア部１１ｂと第３コア部１１ｃとの間の部分に巻回されても良い。
【００７９】
上述した形態では、コア１１は、連結コア部１１ｅに繋がる第１コア部１１ａ、第２コア部１１ｂ、第３コア部１１ｃおよび第４コア部１１ｄの４個のコア部を備えているが、コア１１は、連結コア部１１ｅに繋がる５個以上のコア部を備えていても良い。また、上述した形態において、妨害磁界発生機構１０は、３個以上の励磁用コイルを備えていても良い。さらに、上述した形態において、電流供給回路１５は、矩形波状の交流や三角波状の交流を励磁用コイル１２、１３に供給しても良い。
【００８０】
（他の実施の形態）
上述した形態は、本発明の好適な形態の一例ではあるが、これに限定されるものではなく本発明の要旨を変更しない範囲において種々変形実施が可能である。
【００８１】
上述した形態において、妨害磁界発生機構１０は、コア１１を備えていなくても良い。また、上述した形態において、カード２のおもて面に磁気ストライプが形成されても良い。また、上述した形態において、カードリーダ１は、ユーザが手動でカード２を移動させながら、磁気データの読取りや記録を行う手動式のカードリーダであっても良い。
【００８２】
なお、上述した形態の第２電流供給パターンにおいて、励磁用コイル１２、１３に供給される交流の周期や振幅を変えたり、励磁用コイル１２または励磁用コイル１３の一方のみに交流を供給したりすることで、妨害磁界発生機構１０のより近い位置に配置されるスキミング用磁気ヘッド８０等の異物の検知感度を高めたり、妨害磁界発生機構１０からより離れた位置に配置されるスキミング用磁気ヘッド８０等の異物の検知感度を高めたりすることが可能である。
【符号の説明】
【００８３】
１  カードリーダ
２  カード
３  カード挿入口
４  カード挿入部
７  磁気ヘッド
１０  妨害磁界発生機構
１１  コア
１１ａ  第１コア部
１１ｂ  第２コア部
１１ｃ  第３コア部
１１ｄ  第４コア部
１１ｅ  連結コア部
１２、１３  励磁用コイル
１４  検知用コイル
１５  電流供給回路（電流供給部）
１６  検知回路（検知部）
Ｙ  連結コア部の長手方向
【図１】
2019185837.tif 000003
【図２】
2019185837.tif 000004
【図３】
2019185837.tif 000005
【図４】
2019185837.tif 000006
【図５】
2019185837.tif 000007
【図６】
2019185837.tif 000008
【図７】
2019185837.tif 000009
【図８】
2019185837.tif 000010